(57)【特許請求の範囲】
【請求項１】
使用時に周方向に連結されるか又は予め周方向に連結されて形成される筒状をなし、一方の開口側から装着者の脚を通して、使い捨ておむつの外面における脚開口の周縁部から装着者の腿にかけて覆うように装着する、使い捨ておむつとは別体の補助吸収性物品であって、
一方の開口側の端部に、使い捨ておむつの外面における脚開口の周囲に対して着脱可能に連結されるおむつ連結部が設けられ、
前記連結部よりも他方の開口側の部分は、使い捨ておむつの脚開口から突出する装着者の腿を覆う部分をなし、
他方の開口側の端部に、当該他方の開口側の端部を装着者の腿にフィットさせる口部弾性伸縮部材が設けられ、
少なくとも前記おむつ連結部を有する領域と前記口部弾性伸縮部材を有する領域との間に、内周面から吸収を行う吸収領域が設けられている、
ことを特徴とする補助吸収性物品。
【請求項２】
前記一方の開口の縁は、内腿側の部位から外腿側の部位に向かうにつれて、内腿側の部位を通る周方向の仮想線からの距離が段階的又は連続的に増加するように形成されている、請求項１記載の補助吸収性物品。
【請求項３】
前記吸収領域には、前記周方向と直交する軸方向に並ぶ複数の吸収体が内蔵されている、請求項１又は２記載の補助吸収性物品。
【請求項４】
使用時に周方向に連結されるか又は予め周方向に連結されて形成される筒状の補助吸収性物品であって、
一方の開口側の端部に、使い捨ておむつにおける脚開口の周囲に対して着脱可能に連結されるおむつ連結部が設けられ、
他方の開口側の端部に、当該他方の開口側の端部を装着者の腿にフィットさせる口部弾性伸縮部材が設けられ、
少なくとも前記おむつ連結部を有する領域と前記口部弾性伸縮部材を有する領域との間に、内周面から吸収を行う吸収領域が設けられており、
前記おむつ連結部を有する領域と前記吸収領域との間に、前記周方向と交差する方向に弾性伸縮する伸縮領域が設けられている、
ことを特徴とする補助吸収性物品。
【請求項５】
他方の開口側の内周面から内空側に突出する部分と、この突出する部分の少なくとも先端部に周方向に伸張した状態で固定されているギャザー弾性伸縮部材とを有する立体ギャザーが、周方向に沿って環状に設けられている、請求項１〜３のいずれか１項に記載の補助吸収性物品。
【発明の詳細な説明】
【技術分野】
【０００１】
本発明は、使い捨ておむつの脚開口における漏れ防止性能を向上させる補助吸収性物品に関するものである。
【背景技術】
【０００２】
パンツタイプ使い捨ておむつやテープタイプ使い捨ておむつのように装着時に脚開口を有する使い捨ておむつにおいては、脚開口が排泄位置に近いことや、股間部における吸収量が飽和し易いこと等により、脚開口からの漏れが発生し易く、そのため立体ギャザー等の漏れ防止手段により漏れ防止を図ることが一般的となっている。
【０００３】
しかし、座位時のように、脚開口に隙間が生じ易く、かつ使い捨ておむつの表面と装着者の身体表面との隙間が少なくなる状況では、排泄物が脚開口に向かい易く、脚開口からの漏れが発生し易いという問題点があった。
【０００４】
他方、このような問題を解決するものとして、使い捨ておむつの脚開口の周縁部から装着者の腿にかけて覆うように装着される帯状の補助吸収性物品が提案されているが、この補助吸収性物品は使い捨ておむつに対して連結されておらず、装着時の周方向の締め付けのみで腿の付け根に保持されるものであるため、ずれ易く、使い捨ておむつと補助吸収性物品との間に隙間を生じ易いという問題点があった。
【先行技術文献】
【特許文献】
【０００５】
【特許文献１】特開２００１−３２７５２１号公報
【特許文献２】特開２００１−２２４６１５号公報
【発明の概要】
【発明が解決しようとする課題】
【０００６】
そこで、本発明の主たる課題は、漏れ防止性に優れた脚開口装着型の補助吸収性物品を提供することにある。
【課題を解決するための手段】
【０００７】
上記課題を解決した補助吸収性物品は次記のとおりである。
＜第１の補助吸収性物品＞
使用時に周方向に連結されるか又は予め周方向に連結されて形成される筒状の補助吸収性物品であって、
一方の開口側の端部に、使い捨ておむつにおける脚開口の周囲に対して着脱可能に連結されるおむつ連結部が設けられ、
他方の開口側の端部に、当該他方の開口側の端部を装着者の腿にフィットさせる口部弾性伸縮部材が設けられ、
少なくとも前記おむつ連結部を有する領域と前記口部弾性伸縮部材を有する領域との間に、内周面から吸収を行う吸収領域が設けられている、
ことを特徴とする補助吸収性物品。
【０００８】
（作用効果）
本補助吸収性物品は、装着状態で筒状をなす点では特許文献１記載のものと同様であるが、一方の開口側の端部に、使い捨ておむつにおける脚開口の周囲に対して着脱可能に連結されるおむつ連結部が設けられているため、使用に際し、一方の開口側の端部を使い捨ておむつの脚開口の周囲に連結することができる。よって、本補助吸収性物品によれば、使い捨ておむつと補助吸収性物品との間に隙間が生じ難く、漏れ防止性に優れたものとなる。
【０００９】
＜第２の補助吸収性物品＞
前記一方の開口の縁は、内腿側の部位から外腿側の部位に向かうにつれて、内腿側の部位を通る周方向の仮想線からの距離が段階的又は連続的に増加するように形成されている、第１の補助吸収性物品。
【００１０】
（作用効果）
使い捨ておむつの脚開口部に接続される側の開口である一方の開口を、このような形状とすることにより、使用時に補助吸収性物品の一方の開口の縁が腿の付け根に沿う形状となるため、おむつ連結部による連結が外れ難い、補助吸収性物品のフィット性が良好となる等の利点がもたらされる。
【００１１】
＜第３の補助吸収性物品＞
前記吸収領域には、前記周方向と直交する軸方向に並ぶ複数の吸収体が内蔵されている、第１又は２の補助吸収性物品。
【００１２】
（作用効果）
このように複数の吸収体を軸方向に並べて設けることにより、腿の動きに追従して変形し易くなる。
【００１３】
＜第４の補助吸収性物品＞
前記おむつ連結部を有する領域と前記吸収領域との間に、前記周方向と交差する方向に弾性伸縮する伸縮領域が設けられている、第１〜３のいずれか１つの補助吸収性物品。
【００１４】
（作用効果）
このような伸縮領域を備えることにより、腿の動きに追従して変形し易くなる。
【００１５】
＜第５の補助吸収性物品＞
他方の開口側の内周面から内空側に突出する部分と、この突出する部分の少なくとも先端部に周方向に伸張した状態で固定されているギャザー弾性伸縮部材とを有する立体ギャザーが、周方向に沿って環状に設けられている、第１〜４のいずれかつの補助吸収性物品。
【００１６】
（作用効果）
このような環状の立体ギャザーを設けることにより、他方の開口からの漏れ防止性が向上する。
【発明の効果】
【００１７】
以上のとおり本発明によれば、漏れ防止性に優れた脚開口装着型の補助吸収性物品となる等の利点がもたらされる。
【図面の簡単な説明】
【００１８】
【図１】補助吸収性物品の展開状態の表面を示す平面図である。
【図２】補助吸収性物品の展開状態の裏面を示す平面図である。
【図３】図１のＡ−Ａ断面図である。
【図４】補助吸収性物品の斜視図である。
【図５】補助吸収性物品の使用状態の概略図である。
【図６】補助吸収性物品の展開状態の表面を示す平面図である。
【図７】図６のＡ−Ａ断面図である。
【図８】補助吸収性物品の斜視図である。
【図９】補助吸収性物品の展開状態の表面を示す平面図である。
【図１０】図９のＡ−Ａ断面図である。
【図１１】補助吸収性物品の斜視図である。
【図１２】補助吸収性物品の展開状態の表面を示す平面図である。
【図１３】図１２のＡ−Ａ断面図である。
【発明を実施するための形態】
【００１９】
以下、本発明の一実施形態について添付図面を参照しながら詳説する。
図１〜図５は、使い捨ておむつ１００の脚開口１０１に装着される補助吸収性物品１０の例を示している。この補助吸収性物品１０は、帯状体１の長手方向両端部１ａ，１ｂが連結されて筒状とされたものであり、図５に示すように、一方の開口から装着者の脚を通し、当該一方の開口側の端部１１で使い捨ておむつ１００の脚開口１０１の周囲が覆われる程度まで引き上げて使用するものである。特徴的には、一方の開口側の端部１１に、使い捨ておむつ１００における脚開口１０１の周囲に対して着脱可能に連結されるおむつ連結部１３が設けられるとともに、他方の開口側の端部１２に、当該他方の開口側の端部１２を装着者の腿にフィットさせる口部弾性伸縮部材１４が設けられ、また、おむつ連結部１３を有する領域と口部弾性伸縮部材１４を有する領域との間に、内周面から吸収を行う吸収領域１５が設けられている。したがって、図５に装着状態を示すように、本補助吸収性物品１０はその一方の開口側の端部１１に設けられたおむつ連結部１３により、使い捨ておむつ１００における脚開口１０１の周囲に対して着脱可能に連結することができるため、使い捨ておむつ１００と補助吸収性物品１０との間に隙間が生じ難く、漏れ防止性に優れたものとなる。なお、図５に示す装着状態では、使い捨ておむつ１００の片方の脚開口１０１にのみ補助吸収性物品１０を装着しているが、両方の脚開口１０１に補助吸収性物品１０を装着できることはいうまでもない。
【００２０】
補助吸収性物品１０の形状は筒状の装着状態としうる限り特に限定されないが、図１〜図４に示すように、帯状体１における一方（使い捨ておむつ１００の脚開口１０１に接続される側）の開口の縁１１ｅとなる長辺が湾曲（又は屈曲）されており、その長手方向両端部を連結した筒状の状態で、一方の開口の縁１１ｅが、内腿側の部位から外腿側の部位に向かうにつれて、内腿側の部位を通る周方向の仮想線１１ｖからの距離が段階的又は連続的に増加する形状とされていると、使用時に補助吸収性物品１０における一方の開口の縁１１ｅが腿の付け根に沿う形状となるため、おむつ連結部１３による連結が外れ難い、補助吸収性物品１０のフィット性が良好となる等の利点がもたらされるため好ましい。もちろん、製造を容易にし、トリムロス（切断廃材）を無くすために、図６〜図８に示すように、長方形の帯状体１の長手方向両端部を連結した円筒状の形態とするのも好ましい形態である。
【００２１】
補助吸収性物品１０１の寸法は適宜定めれば良いが、例えば展開状態での帯状体１の長手方向（周方向）寸法１Ｙは６５〜１０００ｍｍ程度、幅方向寸法１Ｘは３０〜５００ｍｍ程度とすることができる。
【００２２】
補助吸収性物品１０の素材構成は、上記機能を実現しうる限り特に限定されないが、図示形態では、内周面を形成する液透過性トップシート２と、その外側に位置し、吸収領域１５を形成する吸収体４と、吸収体４の外側を覆う液不透過性シート３と、液不透過性シート３の外側を覆い、かつ外周面を形成する外装シート５とを基本構成とし、これらを積層し、素材相互を適宜固定して帯状体１を形成し、この帯状体１を筒状に形成している。素材相互の固定は、ヒートシールや超音波シール等の素材溶着手段の他、ホットメルト接着剤等の接着剤等、特に限定無く用いることができる。図中では、素材相互を接合するためのホットメルト接着剤を点模様で表している。
【００２３】
素材としては、公知のものを適宜用いることができる。例えば、トップシート２としては、目付け１０〜３５ｇ／ｍ2程度の各種不織布の他、多数の孔を有する孔開きフィルム等を用いることができる。不織布としてはエアスルー不織布、ポイントボンド不織布、スパンボンド不織布等、特に限定されない。
【００２４】
液不透過性シート３としては、ポリエチレンフィルム等からなる非通気性フィルムまたは通気性多孔質フィルム等の液不透過性シートを用いることができる。また、外装シート５としては、目付け１０〜４０ｇ／ｍ2程度の各種不織布、特に強度および柔軟性の両立の観点から、ＳＭＳ不織布やＳＭＭＳ不織布等の積層不織布を好適に用いることができる。外装シート５は省略することができる。
【００２５】
吸収体４としては、パルプ繊維の積繊体、セルロースアセテート等のフィラメントの集合体、あるいは不織布等の繊維集合体を基本とし、必要に応じて高吸収性ポリマーを混合、固着等してなるものを用いることができる。吸収体４における繊維目付けは８０〜１５０ｇ／ｍ2程度であるのが好ましく、高吸収性ポリマーの目付けは５０〜１８０ｇ／ｍ2程度であるのが好ましい。吸収体４は、薄葉紙等の包装シートにより包装したものとすることができる。
【００２６】
帯状体１の長手方向両端部１ａ，１ｂを連結するための手段としては、図示形態ではヒートシールや超音波シール等の素材溶着手段を想定しているが、ホットメルト接着剤等の接着剤を用いることもでき、また、粘着剤やメカニカルファスナー（面ファスナー）のように着脱可能な連結手段を用いることもできる。したがって、図示形態の補助吸収性物品１０は、帯状体１の長手方向両端部１ａ，１ｂが予め連結されて筒状に形成されたものであるが、本発明は製品状態では帯状体１であるものの使用時に筒状に連結される形態のものも含む。
【００２７】
おむつ連結部１３としては、粘着剤やメカニカルファスナー（面ファスナー）のように使い捨ておむつ１００の脚開口１０１の周囲に着脱可能な連結手段を用いる。おむつ連結部１３は、一方の開口側の端部１１に設けられる限り、図示形態のように補助吸収性物品１０の周方向に連続的に設ける他、間欠的に設けることもでき、また必要に応じて他の部位にも設けることができる。おむつ連結部１３メカニカルファスナーを用いる場合、雄材（フック材）及び雌材（ループ材）の両者を用い、いずれか一方を補助吸収性物品１０に、他方を連結対象の使い捨ておむつ１００に設けても良いが、使い捨ておむつ１００の外面が不織布のように雄材が係止可能となっている場合には、補助吸収性物品１０のおむつ連結部１３にメカニカルファスナーの雄材を用い、使い捨ておむつ１００には雌材を設けない形態とするのが好ましい。おむつ連結部１３としてメカニカルファスナーの雄材を補助吸収性物品１０の周方向に連続的に設ける場合、雄材の硬さがフィット性を低下させるおそれがあるため、図示形態のように雄材（おむつ連結部１３）を適宜の長さで切断して補助吸収性物品１０の周方向に複数の部分に分割することが好ましい。
【００２８】
口部弾性伸縮部材１４としては、糸状、紐状等の細長状弾性伸縮部材や帯状弾性伸縮部材を用いることができる。口部弾性伸縮部材１４としては、合成ゴムを用いても、天然ゴムを用いても良い。口部弾性伸縮部材１４は他方の開口側の端部１２において周方向全体にわたるように設けることが好ましいが、補助吸収性物品１０の周方向に間欠的に設けたり、周方向の一部に設けたりすることもできる。口部弾性伸縮部材１４は、他方の開口側の端部１２における素材間に設けることが好ましく、吸収体４を有しない位置に設けることが好ましい。図示形態では、トップシート２、液不透過性シート３及び外装シート５が吸収体４の周縁よりも外側に延在され、その延在部分において隣接層が接合されて、吸収体４の無いフラップ部６が形成されており、このフラップ部６の層間に口部弾性伸縮部材１４が周方向に伸長した状態で固定されている。フラップ部６における隣接層の貼り合せや、その間に挟まれる口部弾性伸縮部材１４の固定には種々の塗布方法によるホットメルト接着またはヒートシールや超音波シールを用いることができる。
【００２９】
口部弾性伸縮部材１４として細長状のものを用いる場合には、太さは４７０〜１２４０ｄｔｅｘ程度であるのが好ましく、固定時の伸長率は１５０〜３５０％であるのが好ましい。また、口部弾性伸縮部材１４の本数は１本とする他、補助吸収性物品１０の周方向と直交する方向に間隔を空けて複数本配置することもでき、複数本設ける場合、その配置間隔は４〜１２ｍｍ程度とすることが好ましい。
【００３０】
吸収領域１５は吸収体４を有する領域であって、少なくともおむつ連結部１３を有する領域と口部弾性伸縮部材１４を有する領域との間に設けられる限り、他の領域に付加的に設けることもできる。吸収体４は剛性が比較的に高い素材であるため、図６に示す形態のように広範囲に一体的に設けるよりも、補助吸収性物品１０の周方向と直交する軸方向に複数並べて設けると、柔軟性が向上し、腿の動きに追従して変形し易くなる。この場合、吸収体４を接触させて並べることもできるが、図示形態のように間隔を空けて設ける方が好ましい。
【００３１】
図９〜図１１に示す形態のように、おむつ連結部１３を有する領域と吸収領域１５との間に、補助吸収性物品１０の周方向と交差する方向に弾性伸縮する伸縮領域１６が設けられているのも好ましい形態である。このような伸縮領域１６を備えることにより、腿の動きに追従して変形し易くなる。伸縮領域１６は、当該領域の素材を伸縮不織布や伸縮フィルムのようにそれ自身で弾性伸縮する素材とすることにより形成する他、図示形態のように、基端側弾性伸縮部材１７を補助吸収性物品１０の周方向と交差（好ましくは直交）する方向に伸長した状態で固定することで形成することができる。この場合、自然長状態では、図１１に示すように基端側弾性伸縮部材１７の収縮に伴い伸縮領域１６が収縮した状態となり、腿の動きにより図中に矢印で示すような曲げ変形力が働くと、投げ方向と反対側が相対的に伸長することにより追従変形することになる。
【００３２】
基端側弾性伸縮部材１７としては、糸状、紐状等の細長状弾性伸縮部材や帯状弾性伸縮部材を用いることができる。基端側弾性伸縮部材１７としては、合成ゴムを用いても、天然ゴムを用いても良い。基端側弾性伸縮部材１７は補助吸収性物品１０の全周にわたり周方向に間欠的に設ける他、周方向の一部に設けたりすることもできる。基端側弾性伸縮部材１７は、伸縮領域１６の素材間に設けることが好ましい。伸縮領域１６は吸収体４を有しない部分であり、図示形態ではトップシート２、液不透過性シート３及び外装シート５が積層されて形成されており、これらの層間に基端側弾性伸縮部材１７が補助吸収性物品１０の周方向と交差する方向に伸長した状態で固定されている。伸縮領域１６における隣接層の貼り合せや、その間に挟まれる基端側弾性伸縮部材１７の固定には種々の塗布方法によるホットメルト接着またはヒートシールや超音波シールを用いることができる。基端側弾性伸縮部材１７として細長状のものを用いる場合には、太さは４７０〜１２４０ｄｔｅｘ程度であるのが好ましく、固定時の伸長率は１２０〜２００％であるのが好ましい。
【００３３】
図１２及び図１３に示す形態のように、補助吸収性物品１０の他方の開口側の内周面から内空側に突出する突出部分６６と、この突出する部分の少なくとも先端部に、補助吸収性物品１０の周方向に伸張した状態で固定されているギャザー弾性伸縮部材６３とを有する立体ギャザー６０が、補助吸収性物品１０の周方向に沿って環状に設けられているのも好ましい形態である。このような環状の立体ギャザー６０を設けることにより、他方の開口からの漏れ防止性が向上する。
【００３４】
より詳細に説明すると、図示形態の立体ギャザー６０は、他方の開口側の端部１２に固定された付根部分６５と、この付根部分６５から一方の開口側に突出する突出部分６６と、突出部分６６の少なくとも先端部に前後方向に伸張した状態で固定されているギャザー弾性伸縮部材６３とを有するものであり、不織布等のギャザーシート６２を二つ折りして二層構造として、その層間にギャザー弾性伸縮部材６３を挟んで固定した構造を有するものである。装着時には、突出部分６６が腿の表面に追従するように変形してフィット状態が維持され、他方の開口からの漏れ防止性能が向上する。
【００３５】
立体ギャザー６０を形成するギャザーシート６２は図示形態のように折り畳むことにより複数層構造とする他、複数枚の素材を貼り合わせて複数層構造とすることもできる。ギャザーシート６２のシート状素材としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコーンなどにより撥水処理を施したものを好適に用いることができる。
【００３６】
ギャザー弾性伸縮部材６３としては、糸状、紐状等の細長状弾性伸縮部材や帯状弾性伸縮部材を用いることができる。ギャザー弾性伸縮部材６３としては、合成ゴムを用いても、天然ゴムを用いても良い。ギャザー弾性伸縮部材６３として細長状のものを用いる場合には、太さは４７０〜１２４０ｄｔｅｘ程度であるのが好ましく、固定時の伸長率は１７０〜２９０％であるのが好ましい。ギャザー弾性伸縮部材６３の本数は１本とする他、補助吸収性物品１０の周方向と直交する方向に間隔を空けて複数本配置することもでき、複数本設ける場合、その配置間隔は４〜１２ｍｍ程度とすることが好ましい。
【００３７】
立体ギャザー６０の付根部分６５の固定対象は、トップシート２、裏面シート３、吸収体４等適宜の部材とすることができ、固定位置は補助吸収性物品１０の表面側であっても、裏面側であっても良い。
【００３８】
立体ギャザー６０の寸法は適宜定めることができるが、例えば、立体ギャザー６０の起立高さ（展開状態における突出部分６６の幅方向長さ）は１０〜３０ｍｍであるのが好ましい。また、立体ギャザー６０の付根部分６５の幅方向長さは１５〜３０ｍｍであるのが好ましい。
【実施例】
【００３９】
表１に示される各種形態の補助吸収性物品を試作し、ダミー人形（太腿の周長：２８０ｍｍ、胴周りの周長：４３０ｍｍ）に適切に装着したＭサイズのテープタイプ使い捨ておむつの脚開口の周囲に各補助吸収性物品を装着し、そのフィット性及び装着性について２３人の被験者が五段階（５点：非常に満足、４点：満足、３点：ふつう、２点：やや不満、１点：不満）で官能評価した。なお、実施例１〜４及び比較例１は、下記の同じ素材を使用して作製した。
・トップシート２：エアスルー不織布、目付け２２ｇ／ｍ2
・吸収体４：パルプ繊維の積繊体（繊維目付け１００ｇ／ｍ2、高吸収性ポリマーの目付け１２０ｇ／ｍ2）
・液不透過性シート３：通気性多孔質フィルム
・外装シート５：スパンボンド不織布（目付け１９ｇ／ｍ2）
・口部弾性伸縮部材１４：伸長率は２２０％、太さは６２０ｄｔｅｘ
【００４０】
表１に評価結果を示した。表１中、フィット性の評価結果は、官能評価の平均点数により、◎…５．０〜４．０、○…４．０未満３．０以上、△…３．０未満２．０以上、×…２．０未満の四段階で表記し、装着性の評価結果は官能評価の平均点数により、◎…５．０〜４．０、○…４．０未満３．０以上、△…３．０未満２．０以上、×…２．０未満の四段階で表記した。その結果、表１に示すように全ての例において比較例１と比べて良好なフィット性が得られた。また、装着性については実施例４を除いて良好な結果が得られた。
【００４１】
【表１】
0006536935.tif 000002
【００４２】
＜明細書中の用語の説明＞
明細書中の以下の用語は、明細書中に特に記載が無い限り、以下の意味を有するものである。
【００４３】
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、１平米あたりの重さを算出し、目付けとする。
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
・「伸長率」は、自然長を１００％としたときの値を意味する。
【産業上の利用可能性】
【００４４】
本発明は、使い捨ておむつの脚開口に装着される補助吸収性物品として利用できるものである。
【符号の説明】
【００４５】
１…帯状体、２…トップシート、３…液不透過性シート、４…吸収体、５…外装シート、６…フラップ部、１０…補助吸収性物品、１１…一方の開口側の端部、１１ｅ…一方の開口の縁、１１ｖ…仮想線、１２…他方の開口側の端部、１３…おむつ連結部、１４…口部弾性伸縮部材、１５…吸収領域、１６…伸縮領域、１７…基端側弾性伸縮部材、６０…立体ギャザー、６２…ギャザーシート、６３…ギャザー弾性伸縮部材、６５…付根部分、６６…突出部分、１００…使い捨ておむつ、１０１…脚開口。
【図１】
0006536935.tif 000003
【図２】
0006536935.tif 000004
【図３】
0006536935.tif 000005
【図４】
0006536935.tif 000006
【図５】
0006536935.tif 000007
【図６】
0006536935.tif 000008
【図７】
0006536935.tif 000009
【図８】
0006536935.tif 000010
【図９】
0006536935.tif 000011
【図１０】
0006536935.tif 000012
【図１１】
0006536935.tif 000013
【図１２】
0006536935.tif 000014
【図１３】
0006536935.tif 000015